【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】
第１のサーバからの情報を格納する第１の記憶手段と、
前記第１の記憶手段の情報を格納する第２の記憶手段と、
前記第１の記憶手段と前記第２の記憶手段に接続され、かつ、前記第１のサーバと前記第２のサーバに接続される記憶装置と前記記憶装置を制御する記憶制御装置と、
前記記憶制御装置は、前記第１のサーバから前記第１の記憶手段と第２の記憶手段とのペアを分割する分割指示を受けた場合、前記第１のサーバにこの分割の終了を報告し、前記第２のサーバからバックアップの指示を受けた後、前記第１の記憶手段から、前記第２の記憶手段への情報のコピーが終了してから、前記第２の記憶手段からバックアップ装置に情報を転送するものであることを特徴とする記憶システム。
【請求項２】
請求項１記載の記憶システムにおいて、
前記第１の記憶手段から前記第２の記憶手段に、前記第１の記憶手段が有する全体の情報のコピーが終了後、前記第２の記憶手段から前記バックアップ装置へ情報を転送するものであることを特徴とする記憶システム。
【請求項３】
請求項１記載の記憶システムにおいて、
前記第２の記憶手段に格納されている第１の情報と前記第１の記憶手段から前記第２の記憶手段に格納されていない第２の情報を前記バックアップ装置へ転送する要求があった場合、前記第２の情報を前記第１の記憶手段から前記第２の記憶手段に格納した後、前記第２の記憶手段から前記第１の情報と前記第２の情報を前記バックアップ装置へ情報を転送するものであることを特徴とする記憶システム。
【請求項４】
請求項１記載の記憶システムにおいて、
前記第２の記憶手段に格納されている第１の情報と前記第１の記憶手段から前記第２の記憶手段に格納されていない第２の情報をバックアップ装置へ転送する要求があった場合、前記記憶制御装置の記憶制御手段と接続され、情報を格納するメモリに、前記第１の情報を前記第２の記憶手段から格納する共に、前記第２の情報を前記第１の記憶手段から格納した後、前記メモリに格納された前記第１の情報と前記第２の情報を前記バックアップ装置へ情報を転送するものであることを特徴とする記憶システム。
【請求項５】
第１のサーバからのデータを格納する第１の記憶手段と、
前記第１の記憶手段のデータを格納する第２の記憶手段と、
前記第１の記憶手段と、前記第２の記憶手段と、前記第１のサーバと、第２のサーバとに接続され、かつ、前記第１の記憶手段と前記第２の記憶手段を制御する記憶制御装置と、を備え、
前記記憶制御装置は、前記第１のサーバから前記第１及び第２の記憶手段の間の分割指示を受けた場合、前記第１の記憶手段から前記第２の記憶手段へのコピー完了前に、前記第１のサーバに当該分割の終了を報告し、前記第１の記憶手段から前記第２の記憶手段へのコピーが行われる間に、前記第２のサーバからバックアップの指示を受け、その後、前記第１の記憶手段から前記第２の記憶手段へのデータのコピーが終了した後に、前記第２の記憶手段からバックアップ装置にデータを転送し、
前記分割後にバックアップの指示が前記第２のサーバから発行された場合、前記記憶制御装置は、前記第１の記憶手段の中にバックアップされるべき差分データが残っているかどうかを確認し、
前記第１の記憶手段の中にバックアップされるべき差分データが残っている場合、前記記憶制御装置は、当該差分データを前記第２の記憶手段に反映し、バックアップされたデータを前記第２の記憶手段から前記バックアップ装置へ転送するものであることを特徴とする記憶システム。
【請求項６】
請求項５記載の記憶システムにおいて、
前記第１の記憶手段から前記第２の記憶手段へ前記第１の記憶手段の全体のデータのコピーが終了した後、前記第２の記憶手段から前記バックアップ装置へデータを転送するものであることを特徴とする記憶システム。
【請求項７】
記憶装置と前記記憶装置を制御する記憶制御装置からなる記憶システムであって、
前記記憶装置は、第１の記憶手段と第２の記憶手段とを含み、
前記記憶制御装置は、メモリと、前記メモリに接続され、第１のサーバから送られる分割処理を受け付け、前記第１のサーバに前記第１の記憶手段と前記第２の記憶手段とのペアを分割する分割終了を報告する第１の制御部と、
前記メモリに接続され、前記分割の終了の報告後、第２のサーバから送られるバックアップ処理を受け付ける第２の制御部と、
前記記憶装置と前記メモリに接続され、前記第１の記憶手段から前記第２の記憶手段に情報をコピーする第３の制御部と、
前記メモリに接続され、前記バックアップ処理を受け付け、前記第１の記憶手段から前記第２の記憶手段に情報のコピーが終了した後、前記第２の記憶手段からバックアップ装置へ情報を転送する第４の制御部とを有するものであることを特徴とする記憶システム。
【請求項８】
請求項７記載の記憶システムにおいて、
前記第１の記憶手段から前記第２の記憶手段に、前記第１の記憶手段が有する全体の情報のコピーが終了後、前記第２の記憶手段から前記バックアップ装置へ情報を転送するものであることを特徴とする記憶システム。
【請求項９】
請求項７記載の記憶システムにおいて、
前記第２の記憶手段に格納されている第１の情報と前記第１の記憶手段から第２の記憶手段に格納されていない第２の情報を前記バックアップ装置へ転送する要求があった場合、前記第２の情報を前記第１の記憶手段から前記第２の記憶手段に格納した後、前記第２の記憶手段から前記第１の情報と前記第２の情報を前記バックアップ装置へ情報を転送するものであることを特徴とする記憶システム。
【請求項１０】
請求項７記載の記憶システムにおいて、
前記第２の記憶手段に格納されている第１の情報と前記第１の記憶手段から前記第２の記憶手段に格納されていない第２の情報をバックアップ装置へ転送する要求があった場合、前記メモリに、前記第１の情報を前記第２の記憶手段から格納する共に、前記第２の情報を前記第１の記憶手段から格納した後、前記メモリに格納された前記第１の情報と前記第２の情報を前記バックアップ装置へ情報を転送するものであることを特徴とする記憶システム。
【請求項１１】
複数の記憶手段と、
前記記憶手段を制御する記憶制御装置と、を備える記憶システムであって、
前記記憶手段は、第１の記憶手段と第２の記憶手段とを含み、
前記記憶制御装置は、
（１）メモリと、
（２）前記メモリに接続され、第１のサーバから送られる前記第１及び第２の記憶手段の間の分割処理を受け付け、前記第１の記憶手段から前記第２の記憶手段へのコピー完了前に、前記第１のサーバに当該分割終了を報告する第１の制御部と、
（３）前記メモリに接続され、前記分割終了の報告がなされた後で、前記第１の記憶手段から第２の記憶手段へのコピーが行われる間に、第２のサーバから送られるバックアップ処理を受け付ける第２の制御部と、
（４）前記記憶手段と前記メモリに接続され、前記第１の記憶手段から前記第２の記憶手段にデータをコピーする第３の制御部と、
（５）前記メモリに接続され、前記第１の記憶手段から前記第２の記憶手段へのデータのコピーが終了した後に、前記第２の記憶手段からバックアップ装置へデータを転送する第４の制御部と、を有し、
前記分割後にバックアップの指示が前記第２のサーバから発行された場合、前記記憶制御装置は、前記第１の記憶手段の中にバックアップされるべき差分データが残っているかどうかを確認し、
前記第１の記憶手段の中にバックアップされるべき差分データが残っている場合、前記記憶制御装置は、当該差分データを前記第２の記憶手段に反映し、バックアップされたデータを前記第２の記憶手段から前記バックアップ装置へ転送するものであることを特徴とする記憶システム。
【請求項１２】
請求項１１記載の記憶システムにおいて、
前記第１の記憶手段から前記第２の記憶手段へ前記第１の記憶手段の全体のデータのコピーが終了した後、前記第２の記憶手段から前記バックアップ装置へデータを転送するものであることを特徴とする記憶システム。
【請求項１３】
複数の記憶手段と、
前記記憶手段を制御する記憶制御装置と、を備える記憶システムであって、
前記記憶手段は、第１の記憶手段と第２の記憶手段とを含み、
前記記憶制御装置は、
（１）第１のメモリと、
（２）前記第１のメモリに接続され、第１のサーバから送られる分割処理を受け付け、前記第１のサーバに分割終了を報告する第１の制御部と、
（３）前記第１のメモリに接続され、前記分割終了の報告がなされた後で、第２のサーバから送られるバックアップ処理を受け付ける第２の制御部と、
（４）前記記憶手段と前記第１のメモリに接続され、前記第１の記憶手段から前記第２の記憶手段に情報をコピーする第３の制御部と、
（５）前記第１のメモリに接続され、前記第１の記憶手段から前記第２の記憶手段への情報のコピーが終了した後に、前記第２の記憶手段からバックアップ装置へ情報を転送する第４の制御部と、を有し、
前記第２の記憶手段に格納されている第１の情報と前記第１の記憶手段から前記第２の記憶手段に格納されていない第２の情報をバックアップ装置へ転送する要求があった場合、前記記憶制御装置と接続され、情報を一時的に格納する第２のメモリに、前記第１の情報を前記第２の記憶手段から格納すると共に、前記第２の情報を前記第１の記憶手段から前記第２のメモリに格納し、
前記第２のメモリに格納された前記第１の情報と前記第２の情報を前記バックアップ装置へ転送するものであることを特徴とする記憶システム。
【請求項１４】
第１のサーバからの情報を格納する第１の記憶手段と、前記第１の記憶手段の情報を格納する第２の記憶手段と、前記第１の記憶手段と前記第２の記憶手段に接続され、かつ、前記第１のサーバと前記第２のサーバに接続される記憶装置と前記記憶装置を制御する記憶制御装置とを有する記憶システムのバックアップ方法であって、
前記第１のサーバが、前記記憶制御装置に前記第１の記憶手段と前記第２の記憶手段とのペアを分割する分割指示を出した後、前記記憶制御装置は、前記第１のサーバに対して分割終了を報告した後、前記第２のサーバからバックアップの指示を受けた場合、前記第１の記憶手段から前記第２の記憶手段に情報のコピーが終了した後、前記第２の記憶手段からバックアップ装置に情報を転送することを特徴とするバックアップ方法。
【請求項１５】
請求項１４記載のバックアップ方法であって、
前記第２のサーバから前記記憶制御装置に前記第２の記憶手段に格納されている情報を、前記バックアップ装置に転送する要求があった場合、前記記憶制御装置は、前記第１の記憶手段から前記第２の記憶手段に全体の情報のコピーが終了後、前記第２の記憶手段から前記バックアップ装置へ情報を転送することを特徴とするバックアップ方法。
【請求項１６】
請求項１４記載のバックアップ方法であって、
前記第２の記憶手段に格納されている第１の情報と前記第１の記憶手段から前記第２の記憶手段に格納されていない第２の情報をバックアップ装置へ転送する要求があった場合、前記記憶制御装置は、前記第２の情報を前記第１の記憶手段から前記第２の記憶手段に格納し、前記第２の記憶手段から前記第１の情報と前記第２の情報を前記バックアップ装置へ情報を転送することを特徴とするバックアップ方法。
【請求項１７】
請求項１４記載のバックアップ方法であって、
前記第２の記憶手段に格納されている第１の情報と前記第１の記憶手段から前記第２の記憶手段に格納されていない第２の情報をバックアップ装置へ転送する要求があった場合、前記記憶制御装置は、当該記憶制御装置の記憶制御手段と接続され、情報を格納するメモリに、前記第１の情報を前記第２の記憶手段からコピーし、前記第２の情報を前記第１の記憶手段からコピーし、前記メモリに格納された前記第１の情報と前記第２の情報を前記バックアップ装置へ情報を転送することを特徴とするバックアップ方法。
【請求項１８】
第１のサーバからのデータを格納する第１の記憶手段と、前記第１の記憶手段のデータを格納する第２の記憶手段と、前記第１の記憶手段と、前記第２の記憶手段と、前記第1のサーバと、第２のサーバとに接続され、かつ、前記第１の記憶手段と前記第２の記憶手段を制御する記憶制御装置と、を有する記憶システムのバックアップ方法であって、
前記第１のサーバに、前記第１及び第２の記憶手段の間の分割指示を前記記憶制御装置に対して発行させるステップと、
その後、前記記憶制御装置に、前記第１の記憶手段から前記第２の記憶手段へのコピー完了前に、前記第１のサーバに対して当該分割の終了を報告させるステップと、
その後、前記第１の記憶手段から前記第２の記憶手段へのコピーが行われる間に、前記第２のサーバからバックアップの指示を受けた場合、前記第１の記憶手段から前記第２の記憶手段へのデータのコピーが終了した後、前記第２の記憶手段からバックアップ装置に当該データを転送するステップと、を備え、
前記分割後にバックアップの指示が前記第２のサーバから発行された場合、前記記憶制御装置は、前記第１の記憶手段の中にバックアップされるべき差分データが残っているかどうかを確認し、
前記第１の記憶手段の中にバックアップされるべき差分データが残っている場合、前記記憶制御装置は、当該差分データを前記第２の記憶手段に反映し、バックアップされたデータを前記第２の記憶手段から前記バックアップ装置へ転送することを特徴とするバックアップ方法。
【請求項１９】
請求項１８記載のバックアップ方法であって、
前記第２のサーバから、前記第２の記憶手段に格納されているデータを前記バックアップ装置へ転送する要求があった場合、前記第１の記憶手段から前記第２の記憶手段に前記第１の記憶手段が有する全体のデータのコピーが終了した後、前記第２の記憶手段から前記バックアップ装置へ当該データを転送することを特徴とするバックアップ方法。
【請求項２０】
第１のサーバからの情報を格納する第１の記憶手段と、前記第１の記憶手段の情報を格納する第２の記憶手段と、前記第１の記憶手段と、前記第２の記憶手段と、前記第１のサーバと、第２のサーバとに接続され、かつ、前記第１の記憶手段と前記第２の記憶手段を制御する記憶制御装置と、を有する記憶システムのバックアップ方法であって、
前記第１のサーバに、前記記憶制御装置への分割指示を発行させるステップと、
その後、前記記憶制御装置に、前記第１のサーバに対して当該分割の終了を報告させるステップと、
その後、前記第２のサーバからバックアップの指示を受けた場合、前記第１の記憶手段から前記第２の記憶手段への情報のコピーが終了した後に、前記第２の記憶手段からバックアップ装置に当該情報を転送するステップと、を備え、
前記第２の記憶手段に格納されている第１の情報と前記第１の記憶手段から前記第２の記憶手段に格納されていない第２の情報をバックアップ装置へ転送する要求があった場合、前記記憶制御装置と接続され、情報を格納するメモリに、前記第１の情報を前記第２の記憶手段からコピーし、前記第２の情報を前記第１の記憶手段から前記メモリにコピーし、前記メモリに格納された前記第１の情報と前記第２の情報を前記バックアップ装置へ転送することを特徴とするバックアップ方法。
【請求項２１】
情報を格納するサーバと、
前記サーバからの情報を格納する第１の記憶手段と、
前記第１の記憶手段の情報をコピーする第２の記憶手段と、
前記サーバと前記第１の記憶手段と前記第２の記憶手段に接続され、前記第１の記憶手段と前記第２の記憶手段を制御する記憶制御装置とを備えてなり、
前記記憶制御装置が前記サーバから、前記第１の記憶手段と前記第２の記憶手段とのペアを分割する分割指示を受けた場合、前記サーバに分割終了を報告し、前記サーバからバックアップの指示を受けた後、前記第１の記憶手段から前記第２の記憶手段に情報のコピーが終了してから、前記第２の記憶手段から、バックアップ装置に情報を転送するものであることを特徴とするバックアップシステム。
【請求項２２】
請求項２１記載のバックアップシステムであって、
前記サーバは、分割指示をだす第１のサーバと、バックアップ指示を出す第２のサーバを有するものであることを特徴とするバックアップシステム。
【請求項２３】
請求項２１記載のバックシステムにおいて、
前記第１の記憶手段から前記第２の記憶手段に、前記第１の記憶手段が有する全体の情報のコピーが終了後、前記第２の記憶手段から前記バックアップ装置へ情報を転送するものであることを特徴とするバックアップシステム。
【請求項２４】
請求項２１記載のバックアップシステムにおいて、
前記第２の記憶手段に格納されている第１の情報と前記第１の記憶手段から前記第２の記憶手段に格納されていない第２の情報をバックアップ装置へ転送する要求があった場合、前記第２の情報を前記第１の記憶手段から前記第２の記憶手段にコピーした後、前記第２の記憶手段から前記第１の情報と前記第２の情報を前記バックアップ装置へ情報を転送するものであることを特徴とするバックアップシステム。
【請求項２５】
請求項２１記載の記憶システムにおいて、
前記第２の記憶手段に格納されている第１の情報と前記第１の記憶手段から前記第２の記憶手段に格納されていない第２の情報をバックアップ装置へ転送する要求があった場合、前記記憶制御装置と接続され、情報を格納するメモリに、前記第１の情報を前記第２の記憶手段から格納すると共に、前記第２の情報を前記第１の記憶手段から格納した後、前記メモリに格納された前記第１の情報と前記第２の情報を前記バックアップ装置へ情報を転送するものであることを特徴とするバックアップシステム。
【請求項２６】
データを格納するサーバと、
前記サーバからのデータを格納する第１の記憶手段と、
前記第１の記憶手段のデータをコピーする第２の記憶手段と、
前記サーバと前記第１の記憶手段と前記第２の記憶手段に接続され、前記第１の記憶手段と前記第２の記憶手段を制御する記憶制御装置と、を備え、
前記記憶制御装置が前記サーバから前記第１及び第２の記憶手段の間の分割指示を受けた場合、前記第１の記憶手段から前記第２の記憶手段へのコピー完了前に、当該分割の終了を前記サーバに報告し、前記第１の記憶手段から前記第２の記憶手段へのコピーが行われる間に、前記サーバからバックアップの指示を受け、その後、前記第１の記憶手段から前記第２の記憶手段へデータをコピーし、そのコピー終了の後、当該データを前記第２の記憶手段から、バックアップ装置に転送し、
前記分割後にバックアップの指示が前記サーバから発行された場合、前記記憶制御装置は、前記第１の記憶手段の中にバックアップされるべき差分データが残っているかどうかを確認し、
前記第１の記憶手段の中にバックアップされるべき差分データが残っている場合、前記記憶制御装置は、当該差分データを前記第２の記憶手段に反映し、バックアップされたデータを前記第２の記憶手段から前記バックアップ装置へ転送するものであることを特徴とするバックアップシステム。
【請求項２７】
請求項２６記載のバックアップシステムであって、
前記サーバは、分割指示をだす第１のサーバと、バックアップ指示を出す第２のサーバを有するものであることを特徴とするバックアップシステム。
【請求項２８】
請求項２６記載のバックシステムにおいて、
前記第１の記憶手段から前記第２の記憶手段へ全体のデータのコピーが終了した後、前記第２の記憶手段から前記バックアップ装置へ情報を転送するものであることを特徴とするバックアップシステム。
【手続補正２】
【補正対象書類名】明細書
【補正対象項目名】００４０
【補正方法】変更
【補正の内容】
【００４０】
図１１は、図１０の概要処理を流れ図にしたものである。バックアップサーバ１０２は、バックアップ開始指示コマンドをクライアントサーバ１０１に出す。バックアップ開始指示を受けたクライアントサーバ１０１は、通常のＩ／Ｏ処理を一時中断する。ここで、通常のＩ／Ｏ処理を中断するのは、ペアボリュームの分割処理を迅速に行なうためである。Ｉ／Ｏ処理を一時中断したクライアントサーバ１０１は、中断をバックアップサーバ１０２に報告する。報告を受けたバックアップサーバ１０２は、Ｉ／Ｏ処理制御部５０２に対して、バックアップ指示コマンドを受領したＩ／Ｏ処理制御部（プロセッサ）５０２は、Ｉ／Ｏ処理制御部（プロセッサ）５０８に対してペアボリュームのペア分割指示コマンドを発行する。その後、Ｉ／Ｏ処理制御部（プロセッサ）５０８は、バックグラウンドで、Ｉ／Ｏ処理制御部（プロセッサ）５０２及び５０３とは、独立して処理を行ない、差分データを副ボリュームにコピーする。